(57)【要約】【課題】移動や設置が容易な人物撮影装置を複数台配置して、これら複数台の人物撮影装置による協同撮影により、１台の人物撮影装置の撮影では得られない人物写真を得る人物撮影システムを提供すること。【解決手段】複数の人物撮影装置を所定の間隔で配置して、複数の前記人物撮影装置が撮影したそれぞれの画像に基づいて、少なくとも１枚のプリントを作成することを特徴とする人物撮影システム。【選択図】図２
2007094302.tif 000002
【特許請求の範囲】
【請求項１】
複数の人物撮影装置を所定の間隔で配置して、
前記複数の人物撮影装置が撮影したそれぞれの画像に基づいて、少なくとも１枚のプリントを作成することを特徴とする人物撮影システム。
【請求項２】
前記複数の人物撮影装置は、直線上に並べて配置されることを特徴とする請求項１に記載の人物撮影システム。
【請求項３】
作成される前記プリントがパノラマ写真であることを特徴とする請求項１、又は２に記載の人物撮影システム。
【請求項４】
前記複数の人物撮影装置は、被写体となる人物を中心にして描かれる円周上に並べて配置されることを特徴とする請求項１に記載の人物撮影システム。
【請求項５】
前記複数の人物撮影装置が撮影したそれぞれの画像に基づいて、正面顔画像、及び側面顔画像を含むプリントを作成することを特徴とする請求項４に記載の人物撮影システム。
【請求項６】
前記人物撮影装置は、ローラを有する移動手段を備えていることを特徴とする請求項１〜５のいずれか１項に記載の人物撮影システム。
【発明の詳細な説明】
【技術分野】
【０００１】
本発明は、複数の撮影装置を用いて人物撮影を行う人物撮影システムに関する。
【背景技術】
【０００２】
人物撮影装置としては、パスポートの申請、履歴書や各種試験の受験申請書への添付に使用する顔写真を自動的に撮影するボックス型の証明写真撮影装置が知られている（例えば、特許文献１参照。）。また、展望、その他背景を売り物にしている観光地やテーマパークには、撮影した人物像と、予め準備した背景画像とを合成して記念写真を作る記念写真撮影装置が設置されている（例えば、特許文献２参照。）。
【０００３】
これらの人物撮影装置は、通常、無人のボックス内か、カーテン状の仕切り内に納められており、内部に入ったお客は、これらの装置に設けられたタッチパネルと呼ばれる操作表示手段に逐次表示される案内に従って指示操作を行い、希望する写真を得ている。
【０００４】
上述した人物撮影装置の設置面積はできる限り小さいことが望ましく、その条件を満足させるために、撮影レンズと人物との距離が充分に取れず、その結果、顔が少しデフォルメされることから、人物写真としての品質はある程度のレベルにて妥協せざるを得ない。さらに、これらの装置は、所定の設置場所に固定されており、簡単に移動することはできないことから、装置に対しては、設置場所における非使用時の無人状態での防犯や防塵面の考慮も必要になっている。
【０００５】
従って、限られた期間に開かれる催しへの参加や来場を記念する写真を撮るために使用する装置としては、上述したような人物撮影装置は適当とは言えない。また、定常的に使用する場合であっても、昼間のある一定時間だけ、所定の場所に設置するというような要求に対応することも難しい。
【０００６】
このような状況に対応するためには、撮影場所に適合した照明条件をはじめとする各種撮影条件を予め設定して、専任の撮影者が専用のカメラで撮影するということが一般的に行われている。
【０００７】
しかしながら、上記したような専任の撮影者を設けることは、人件費がかさむこととなり、結果として写真のコストアップにつながる恐れがある。
【０００８】
また、他の対応として、イベント会場等に、カメラを操作できるロボットを準備して、このロボットに被撮影者が所有する撮影装置を保持させて撮影を行わせるという提案（例えば、特許文献３参照。）もあるが、撮影者が人ではなく、ロボットであるという意外性はあるものの、ロボットの撮影によって、良い写真が得られるという必然性はない。
【特許文献１】特開２００２−２１４６９０号公報（第１頁）
【特許文献２】特開平５−１６１０６４号公報（第１頁）
【特許文献３】特開２００５−１４１５５号公報（第２頁）
【発明の開示】
【発明が解決しようとする課題】
【０００９】
本発明は上述した状況に鑑みてなされたもので、その目的は、移動や設置が容易な人物撮影装置を複数台配置して、これら複数台の人物撮影装置による協同撮影により、１台の人物撮影装置の撮影では得られない人物写真を得る人物撮影システムを提供することにある。
【課題を解決するための手段】
【００１０】
本発明の目的は、下記に記載する発明により達成される。
（１）複数の人物撮影装置を所定の間隔で配置して、
前記複数の人物撮影装置が撮影したそれぞれの画像に基づいて、少なくとも１枚のプリントを作成することを特徴とする人物撮影システム。
（２）前記複数の人物撮影装置は、直線上に並べて配置されることを特徴とする（１）に記載の人物撮影システム。
（３）作成される前記プリントがパノラマ写真であることを特徴とする（１）、又は（２）に記載の人物撮影システム。
（４）前記複数の人物撮影装置は、被写体となる人物を中心にして描かれる円周上に並べて配置されることを特徴とする（１）に記載の人物撮影システム。
（５）前記複数の人物撮影装置が撮影したそれぞれの画像に基づいて、正面顔画像、及び側面顔画像を含むプリントを作成することを特徴とする（４）に記載の人物撮影システム。
（６）前記人物撮影装置は、ローラを有する移動手段を備えていることを特徴とする（１）〜（５）のいずれか１項に記載の人物撮影システム。
【発明の効果】
【００１１】
本発明により、容易に移動可能な複数の人物撮影装置を所定の位置に配置して、これらの人物撮影装置が協同して撮影を行う人物撮影システムが提供され、１台の撮影装置による人物撮影では得られない人物写真が作成される。
【発明を実施するための最良の形態】
【００１２】
以下、本発明の実施の形態を図面を基にして説明する。
【００１３】
図１は、人物撮影装置１の外観図である。
【００１４】
また、図２は、人物撮影装置１の概念図であり、（ａ）は正面図、（ｂ）は側面図、（ｃ）は上面図である。
【００１５】
図に示される人物撮影装置は、上部筐体１０と、下部筐体２０と、これらの二つの筐体を接続する接続部３０とからなる。
【００１６】
上部筐体１０は、上方に開閉する天板１１と、左右に開閉する扉１２とを有し、その内部には、撮影用カメラ１３、プリンタ１４、制御手段Ｃ、ストロボＳＴ１〜４等が収納されている。
【００１７】
また、下部筐体２０は、底部に移動用の車を備えた台座を有し、その内部には、電源装置等の重量物が収納されている。
【００１８】
撮影用カメラ１３は、デジタルカメラで矢印ａの方向の被写体の撮影を行い、撮影した画像を制御手段Ｃに送る。
【００１９】
プリンタ１４は、制御手段Ｃから送られた画像情報を基にプリントを出力するプリンタで、熱昇華転写、インクジェット、電子写真等、適宜な技術手段によるプリンタを採用することができる。
【００２０】
上部筐体１０の扉１２が左右に開かれると、扉１２の裏側のストロボ反射面２２１、１２１が両側に現れ、正面には、撮影用カメラのレンズ１５、及び、操作表示手段１６が現れる。また、天板１１が上方に開かれると、反射面３３１が現れる。なお、前記扉１２，及び天板１１の開閉は、制御手段Ｃにより制御される扉開閉手段（不図示）、及び天板開閉手段（不図示）によってなされ、開閉角度は、制御手段Ｃに手動、又は自動的に設定される値により決定される。
【００２１】
本実施例における操作表示手段１６は、広く一般に使用されている公知の操作表示手段であるタッチパネルであって、液晶による表示機能と、所定の位置に触れることにより情報の入力が可能な入力機能とを有する手段である。また、本願人物撮影装置１はリモートコントローラ１７（図２に不図示、図３に図示）を備えており、前記操作表示手段１６と同様の入力操作を人物撮影装置１から離れた位置から行うことができる。
【００２２】
ストロボＳＴ１は、図で示すように上方に向けて発光される。発光されたストロボ光は天板１１の反射面３３１にて被写体の方向に反射される。反射方向は天板１１の停止角度を変えることによりにより変更することができる。
【００２３】
ストロボＳＴ２は、図で示すように横方向に向け発光される。発光されたストロボ光は扉１２の反射面２２１にて被写体方向に反射される。反射方向は扉１２の停止角度を変えることによりにより変更される。なお、ストロボＳＴ３は、図の左側のストロボＳＴ２と対称となる位置に設けられており、ストロボＳＴ２と同様に制御される。
【００２４】
ストロボＳＴ４は、図１で示すように、下方に向けて発光される。発光されたストロボ光は、下方の反射面４４１により前方の被写体に向けて反射される。
【００２５】
以上述べた４つのストロボＳＴ１〜４により被写体となる人物、及び背景には、撮影時に撮影光が照射される。ストロボＳＴ１〜４の発光は、制御手段Ｃによる発光指示信号によりタイミングが取られる。また、制御手段Ｃには、ユーザにより操作表示手段１６、又は、操作表示手段１６の機能の一部を有するリモートコントローラ１７により撮影開始の指示をする情報が入力され、入力された情報を基に、前記発光指示信号が出力される。
【００２６】
また、各ストロボの光量、及び、反射面の位置の制御は、メモリＭにある撮影条件ファイル１００を参照して行われる。なお、前記撮影条件ファイル１００とは、本番の撮影に先立ち、複数の条件による試し撮りを行って得た複数の画像を操作表示手段１６にて表示して、表示された画像の中から最適な画像を選択し、その画像に対応する条件を記憶したファイルである。
【００２７】
以上の説明は、撮影時の光源としてストロボを用いる場合を基に行ったが、ストロボの代わりに、前述の反射面の位置に、発光体を設けて撮影照明用光源としても良い。使用できる発光体としては、マトリクス状に並べた発光ダイオード、ＥＬ（Ｅｌｅｃｔｒｏｌｕｍｉｎｅｓｃｅｎｃｅ）等を使用することができる。また、上記発光体と、ストロボを混用しても良い。
【００２８】
下部筐体２０の最下部には、回転ロックができるローラを有する４本の脚が設けられており、人物撮影装置１を任意の位置に移動させることができる。
【００２９】
図３は、人物撮影装置の制御関係を示すブロック図である。なお、本発明の説明に不要なブロックについては記載を省略してある。
【００３０】
制御手段Ｃは、ＣＰＵ、メモリＭ、画像処理用ＩＣ、入出力ポート、通信用インターフェイス、駆動回路からなるコンピュータシステムである。人物撮影装置１の制御は、制御手段Ｃのメモリに予め格納してある所定のプログラムを実行させることにより行われる。
【００３１】
撮影用カメラ１３から制御手段Ｃに送られた画像情報には画像処理が施され、圧縮されて、前記メモリＭの撮影画像ファイル１０１に格納される。
【００３２】
また、制御手段Ｃは、通信手段Ｔを介して他の複数の人物撮影装置１の制御手段Ｃとの情報交換が可能であり、撮影により得られた画像情報や、操作表示手段１６により入力された指示情報に従って情報の送受を行う。なお、通信手段Ｔは、ネットワーク、又は、通信路に適合し、画像情報の送受に時間的不都合をもたらさないものの中から適宜に選択される。
【００３３】
図４は、複数の人物撮影装置１を横方向に並べた人物撮影システムを示す図である。また、図５は、複数の人物撮影装置１を横方向に並べた状態を上方から眺めた図である。
【００３４】
これらの図は、２台の人物撮影装置１を横一列に並べた例を示しているが、並べる台数は２台に限定されるものではない。
【００３５】
並べられた２台の人物撮影装置Ａ１、Ａ２の前方には、被写体となる４名の人物Ｐ１〜Ｐ４が並んでいる。もし、このように横に広く並んだ人物を、点線で示す１台の人物撮影装置Ａ３で撮影すると、撮影画角α３を外れた両側の人物Ｐ１、Ｐ４の撮影画像は一部が欠けたものとなる。このような場合の対応として、撮影画角α３を大きくすることも考えられるが、極端な広角撮影により得られる画像は中心部の人物が大きく、両端部の人物が小さく写ったものとなり、人物画像としては満足できない場合が多い。また、このような広角撮影により一人の人物を中心部に置いて撮影した場合には、人物像に比較して背景部の画像の割合が多くなり、この場合も満足できない人物画像となる。
【００３６】
本発明の人物撮影システムは、上述したような１台の人物撮影装置Ａ３では、撮影範囲をカバーできない場合に有効なもので、２台の人物撮影装置Ａ１、Ａ２により、撮影画角α１、α２で示される範囲の撮影を行う。
【００３７】
人物撮影装置Ａ２により撮影され制御手段Ｃ２の撮影画像ファイルに取り込まれた画像Ｐ２は、通信手段Ｔ２を介して人物撮影装置Ａ１に送られる。人物撮影装置Ａ１の制御手段Ｃ１は、プログラムであるパノラマ合成手段１０３を実行して、人物撮影装置Ａ１が撮影した画像Ｐ１と、送られた前記画像Ｐ２とを横方向に共通画像部分を重ね合わせて一枚の画像を合成（パノラマ合成）して、プリンタ１４によりプリントを出力する。
【００３８】
以上説明したように、２台の人物撮影装置Ａ１、Ａ２からなる撮影システムにより、広角レンズでもカバーできないような横方向に広がった被写体であっても被写体となる人物が全て写され、且つ、自然な撮影画像を得ることができる。
【００３９】
図６は、人物Ｐを中心とした円周上に、３台の人物撮影装置Ｂ１、Ｂ２、Ｂ３を配置した図である。
【００４０】
このように配置された３台の人物撮影装置Ｂ１、Ｂ２、Ｂ３により、人物Ｐを撮影することにより、正面画像と、左右の横画像とが同時に撮影される。人物撮影装置Ｂ１、及び人物撮影装置Ｂ３にて撮影された左右の横画像は、人物撮影装置Ｂ２に送られ、人物撮影装置Ｂ２の制御手段は、プログラムである撮影画像配置手段１０４を実行することによって、３台の人物撮影装置Ｂ１、Ｂ２、Ｂ３により撮影された３つの画像が１枚の用紙に画像形成されるように画像を配置して、プリンタ１４からプリントを出力する。
【００４１】
人物撮影装置Ｂ１、Ｂ２は、図中の点線で示す円周の上を適宜に移動させることができる。例えば、図中の四角形の点線の位置に人物撮影装置Ｂ４を配置して、人物Ｐの斜め横顔を撮影して、撮影した画像を人物撮影装置Ｂ２に送り、人物撮影装置Ｂ２から正面顔画像、斜め横顔画像を含む一枚のプリントを出力することができる。
【００４２】
このように人物撮影装置を配置した人物撮影システムにより、多方向から同時に人物を撮影することができるので、被写体となった人物は、撮影時にどの方向を向いていても表情が撮影され、撮影された画像から自分の特徴を認識することができると共に、自分の好きな角度から撮影された画像を選択することができる。
【００４３】
また、各人物撮影装置のストロボを、常に、一斉に点灯させる必要は無く、予め、指定した人物撮影装置のストロボのみを点灯させても良いし、ある順序で順次点灯させても良い。このように点灯を制御することにより、色々な証明条件により人物を撮影することができる、また、一定時間内における撮影回数も増やすことができる。
【００４４】
なお、本願明の人物撮影システムにおいては、必ずしも、複数の人物撮影装置１の全てにプリンタ１４を備える必要は無く、予め、プリントを出力する人物撮影装置１を決めておき、他の人物撮影装置１からプリンタ１４を除いても良い。
【図面の簡単な説明】
【００４５】
【図１】人物撮影装置の外観図である。
【図２】人物撮影装置の概念図である。
【図３】人物撮影装置の制御関係を示すブロック図である。
【図４】複数の人物撮影装置を横方向に並べた人物撮影システムを示す図である。
【図５】人物撮影システムを上方から眺めた図である。
【図６】人物Ｐを中心とした円周上に、３台の人物撮影装置を配置した図である。
【符号の説明】
【００４６】
１  人物撮影装置
１４  プリンタ
Ａ１、２  人物撮影装置
Ｂ１、２、３  人物撮影装置
Ｃ  制御手段
Ｃ１  制御手段（Ａ１）
Ｃ２  制御手段（Ａ２）
Ｔ  通信手段
Ｔ２  通信手段（Ａ２）
【図１】
2007094302.tif 000003
【図２】
2007094302.tif 000004
【図３】
2007094302.tif 000005
【図４】
2007094302.tif 000006
【図５】
2007094302.tif 000007
【図６】
2007094302.tif 000008